(57)【特許請求の範囲】
【請求項１】
固定枠に対して開閉可能に支持された扉体に取り付けられるハウジングと、前記ハウジングに前進後退可能に納められたラッチ部材と、前記ハウジング内にあって前記ラッチ部材を前進方向へ付勢するバネ手段とからなり、前記ラッチ部材が前記固定枠に係止して閉扉状態を維持することが可能なラッチ装置において、
前記ハウジングは、前進する前記ラッチ部材の前端部が突出する前方開口部と前記前方開口部の反対側に位置する後壁部とを有し、
前記ラッチ部材は、前記前端部において前記扉体の内外面方向で互いに隣接しかつ前記扉体の内方側に位置する第１スライダーとこの第１スライダーより前記扉体の内面側に位置する第２スライダーとを有し、前記ハウジングの前記後壁部と前記第２スライダーの後端部との間に介在する前記バネ手段によって前記第２スライダーが前記前進方向へ付勢されるとともに、前記第２スライダーが前記第１スライダーを後方から押圧して前記第１スライダーが前記前進方向へ付勢されており、前記第２スライダーは、その前端部の先端部に、前記第１スライダーにおける前記前端部の先端面側に突出し、前記第１スライダーの前記前進方向において該第１スライダーの前記前端部の先端が当接して、前記第１スライダーの前進を阻止する突起部を有し、更に前記第２スライダーは、その前端部が第１スライダーの前記前端部から前記扉の外面方向へ離間可能に形成されており、
前記ラッチ部材の前端部が前進方向へ突出すると、前記第２スライダーの脚部が回動して、前記第２スライダーが傾斜し、その前端部が前記固定枠の板状片を挟んで扉体の外面側に、かつ前記第１スライダーが扉体の内方側に位置して、前記ラッチ部材の前端部が固定枠の板状片に対して錠止し、
前記第１スライダーが、前記バネ手段の付勢に抗して後退方向へ前記第２スライダーとともにスライドすると、前記固定枠の板状片は、前記第１スライダーと前記第２スライダーとの各前端部から抜け出し、前記第２スライダーの前端部の先端が、前記板状片の端面に当接して、扉体を開けることができることを特徴とする扉用のラッチ装置。
【請求項２】
前記第１スライダーの前記前端部における前記扉体の内方側が、前記前進後退方向において凸曲面を成している請求項１記載の扉用のラッチ装置。
【発明の詳細な説明】
【０００１】
【発明の属する技術分野】
本発明は扉用のラッチ装置に関し、更に詳しくは例えば分電盤ボックスの扉体などにおける閉扉手段として用いるのに好適なラッチ装置に関する。
【０００２】
【従来の技術】
分電盤ボックスにおける扉体の閉扉手段として、複数のラッチ装置を扉体に設置することはよく知られている。実用新案登録第２５３３３９１号には、複数のラッチ装置を扉体に設置した場合に一人の操作者で開扉操作を可能にしたラッチ装置が開示されている。
【０００３】
【発明が解決しようとする課題】
しかし、実用新案登録第２５３３３９１号に開示されたラッチ装置では、ラッチ部材を構成するラッチボルトとストッパーとを軸支ピンにより連結する構造であるため、部品点数が多く、また構造も複雑であるため加工作業や組み立て作業が面倒で、製造コストが高くなる、という問題があった。
【０００４】
本発明の目的は、かかる従来の問題点を解決するためになされたもので、例えば分電盤ボックスの扉体に複数取り付けて使用するラッチ装置において、部品点数を少なくすると共に、構造を簡素にして加工作業や組み立て作業を容易にすることにより製造コストの安価なラッチ装置を提供することにある。
【０００５】
【課題を解決するための手段】
本発明は扉用のラッチ装置に関し、前述した従来技術の問題を解決するために、以下のように構成される。すなわち、本発明は、固定枠に対して開閉可能に支持された扉体に取り付けられるハウジングと、前記ハウジングに前進後退可能に納められたラッチ部材と、前記ハウジング内にあって前記ラッチ部材を前進方向へ付勢するバネ手段とからなり、前記ラッチ部材が前記固定枠の一部に係止して閉扉状態を維持することが可能なラッチ装置において、前記ハウジングは、前進する前記ラッチ部材の前端部が突出する前方開口部と前記前方開口部の反対側に位置する後壁部とを有し、前記ラッチ部材は、前記前端部において前記扉体の内外面方向で互いに隣接しかつ前記扉体の内方側に位置する第１スライダーとこの第１スライダーより前記扉体の内面側に位置する第２スライダーとを有し、前記ハウジングの前記後壁部と前記第２スライダーの後端部との間に介在する前記バネ手段によって前記第２スライダーが前記前進方向へ付勢されるとともに、前記第２スライダーが前記第１スライダーを後方から押圧して前記第１スライダーが前記前進方向へ付勢されており、前記第２スライダーは、その前端部の先端部に、前記第１スライダーにおける前記前端部の先端面側に突出し、前記第１スライダーの前記前進方向において該第１スライダーの前記前端部の先端が当接して、前記第１スライダーの前進を阻止する突起部を有し、更に前記第２スライダーは、その前端部が第１スライダーの前記前端部から前記扉の外面方向へ離間可能に形成されており、前記ラッチ部材の前端部が前進方向へ突出すると、前記第２スライダーの脚部が回動して、前記第２スライダーが傾斜し、その前端部が前記固定枠の板状片を挟んで扉体の外面側に、かつ前記第１スライダーが扉体の内方側に位置して、前記ラッチ部材の前端部が固定枠の板状片に対して錠止し、前記第１スライダーが、前記バネ手段の付勢に抗して後退方向へ前記第２スライダーとともにスライドすると、前記固定枠の板状片は、前記第１スライダーと前記第２スライダーとの各前端部から抜け出し、前記第２スライダーの前端部の先端が、前記板状片の端面に当接して、扉体を開けることができることを特徴とする。
【０００６】
本発明の扉用のラッチ装置は、前述した特徴を有するが、更に以下のような特徴も有する。すなわち、第１スライダーの前端部における扉体の内方側が、前進後退方向において凸曲面を成していることを特徴とする。
【０００７】
【発明の実施の形態】
以下、本発明の扉用のラッチ装置を図に示される実施形態に基づいて更に詳細に説明する。図１〜図４には本発明の第１実施形態に係る扉用のラッチ装置１０が示されている。図１はこのラッチ装置１０の斜視図、図２はラッチ装置１０を構成するラッチ部材を示しており、説明の便宜上、第２スライダーを第１スライダーに対して後退させた状態で示す斜視図、図３は仮想線で示される分電盤ボックスの扉体に取り付けたラッチ装置１０を開扉操作時の状態で、図１の３−３線で切断して示す断面図、図４は扉体を錠止したときのラッチ装置１０の状態を示す断面図である。
【０００８】
ラッチ装置１０は、分電盤ボックス（図３及び図４に仮想線で示す）１１の固定枠１１ｂに対して開閉可能に支持された扉体１１ａに取り付けられるハウジング１３と、このハウジング１３に前進後退可能に納められたラッチ部材１４とからなり、閉扉時にラッチ部材１４が固定枠１１ｂの一部である板状片１１ｃに錠止して閉扉状態を維持するものである。このラッチ装置１０において、ラッチ部材１４の前進方向側に位置するハウジング１３の前壁部１３ａには、前進後退するラッチ部材１４の前端部が突出する前方開口部１２が形成されている。
【０００９】
すなわち、ハウジング１３に前進後退可能に納められたラッチ部材１４は、前端部がハウジング１３の前方開口部１２から突出し、後端側がハウジング１３内に配置されている。このラッチ部材１４は、その前端部において扉体１１ａの内外面方向で互いに隣接し、扉体１１ａの内方側に位置する第１スライダー１６と、この第１スライダー１６よりも扉体１１ａの内面側に位置する弾性変形可能な第２スライダー１５とから構成されている。第１スライダー１６は、前進後退方向（以下、前後方向と称する）に直交する方向での断面外形状が四角形とされている。
【００１０】
ハウジング１３の前方開口部１２から突出している第１スライダー１６の前端部１７は、閉扉時に固定枠１１ｂの板状片１１ｃ端縁に対向する一表面を下面１６ａとすると、この下面１６ａから先端面に渡って形成された第１傾斜面１７ａと、上面１６ｂ（下面１６ａとは反対側の他表面）から先端面に渡って形成された第２傾斜面１７ｂとを有し、第１傾斜面１７ａと第２傾斜面１７ｂとは、線状の尖端部１７ｃで連接されている。
【００１１】
第１スライダー１６の後端側は、その下面１６ａがハウジング１３の底壁部１３ｂ内面に摺接して配置されている。第１スライダー１６の後端側には、図２に示されるように後端面から前方向に延びる断面四角形の凹部１８を有する筒状部１９が形成されている。この筒状部１９において、前後方向に対して直交する方向に沿う高さＬ１は、ハウジング１３の開口部１２から突出する前端部１７の高さＬ２より高く、また筒状部１９の下壁１９ａの高さＬ３は前端部１７の高さＬ２より低い。
【００１２】
その結果、筒状部１９における下壁１９ａの表面、即ち凹部１８の底面１８ａは、奥壁１８ｂを境に前端部１７の上面１６ｂに対して一段下がっている。筒状部１９の上壁１９ｂにおける前端には、操作レバー２０がこの上壁１９ｂの外表面に対してほぼ垂直に立ち上がって形成されている。この操作レバー２０は、図１、図３及び図４に示されるようにラッチ部材１４をハウジング１３内に収納したとき、ハウジング１３の上壁部に形成されている前後方向に長い長孔１３ｃから突出している。
【００１３】
ラッチ部材１４の前進方向移動において、操作レバー２０が長孔１３ｃの前方端に当接したとき、ラッチ部材１４のそれ以上の前進が阻止される。そのとき、ラッチ部材１４の前端部がハウジング１３の前方開口部１２から最大に突出した状態となる。更に、この筒状部１９における凹部１８内の奥壁１８ｂには、第１スライダー１６における前端部の上面１６ｂ上に抜けている開口部１８ｃが形成されている。
【００１４】
第２スライダー１５は、開口部１８ｃを通ってその前端部２１が第１スライダー１６における前端部１７の上面１６ｂ上に摺動可能に配置され、また後端側が筒状部１９の内部に位置するように第１スライダー１６に組み付けられている。筒状部１９内に位置する第２スライダー１５の後端部には、凹部１８の底面１８ａに向かって突出する脚部２２が形成されており、脚部２２の下部は、該下部を支点にして前端部２１が第１スライダー１６の上面１６ｂから離れる方向に傾斜可能なように半円状の曲面とされ、底面１８ａ上に摺接している。
【００１５】
これら第２スライダー１５と第１スライダー１６とからなるラッチ部材１４が、図１、図３及び図４に示されるように前端部を開口部１３ａから突出させるようにハウジング１３に収納されるとき、コイルバネ２３が、第１スライダー１６の筒状部１９内に位置する第２スライダー１５の脚部２２において後方に向いた後面２２ａと、これに対向するハウジング１３の後壁部１３ｄとの間に配置される。その結果、第２スライダー１５が、コイルバネ２３により前進し、脚部２２における後面２２ａとは反対側の前面２２ｂが第１スライダー１６における凹部１８の奥壁１８ｂに係合し、第１スライダー１６が共に前進し、第１スライダー１６と第２スライダー１５との各前端部１７、２１が前方開口部１３ａから最大に突出する。
【００１６】
このことから明らかなように、第１スライダー１６における凹部１８の奥壁１８ｂが第１当接部となり、またこの第１当接部である奥壁１８ｂに係合する第２スライダー１５における脚部２２の前面２２ｂが第２当接部となり、第１スライダー１６と第２スライダー１５とがこれら第１当接部と第２当接部とにより前後方向において相互に係合する。なお、以後、第１当接部に凹部１８の奥壁と同じ符号１８ｂを付け、また第２当接部に脚部２２の前面と同じ符号２２ｂを付けて説明する。
【００１７】
第２スライダー１５における前端部２１の先端部には、その肉厚が先端に向かって漸増し、かつ第１スライダー１６の上面１６ｂ側へ突出する突起部１５ａが形成されている。この突起部１５ａは、第１スライダー１６と第２スライダー１５とが第１当接部１８ｂと第２当接部２２ｂとで当接している関係にあるとき、第１スライダー１６の前進方向への移動を遮るようにその尖端部１７ｃの前面側へ突出している。そのため、第１スライダー１６が前進して、その尖端部１７ｃが、第２スライダー１５の先端部より前方へ出ようとすると、尖端部１７ｃが第２スライダー１５先端部の突起部１５ａに当接することから、第１スライダー１６の尖端部１７ｃが、第２スライダー１５の先端部より前方へ出ることはない。
【００１８】
このようなラッチ装置１０は、図３及び図４に示されるように分電盤ボックス１１を構成する扉体１１ａに形成された取付け孔２４に装着される。具体的には、ラッチ装置１０におけるハウジング１３の両側壁には、バネ性を持った係止板２５が設けられている。各係止板２５は、その上部が下部より外側に大きく張り出すように傾斜している。このラッチ装置１０は、ハウジング１３を分電盤ボックス１１の扉体１１ａに形成されている取付け孔２４に嵌め込むことにより取り付けられる。
【００１９】
すなわち、ラッチ装置１０を扉体１１ａの取付け孔２４に入れると、ハウジング１３両側壁の係止板２５が取付け孔２４の内縁部に摺接して撓み、ハウジング１３の上部周囲に形成されたフランジ１３ｅの下面が扉体１１ａの表面に当接したとき、両係止板２５が取付け孔２４から扉体１１ａの内側に抜け出て、撓みが解除され、外側に張り出す。その結果、ラッチ装置１０は、両係止板２５の上縁とハウジング１３のフランジ１３ｅ下面とが扉体１１ａを挟持することにより該扉体１１ａに固定される。
【００２０】
次に、このラッチ装置１０に動作について説明するが、この動作は、実質的に実用新案登録第２５３３３９１号に開示された従来のラッチ装置と同様であるので簡単に説明する。分電盤ボックス１１の扉体１１ａが開いているときには、ラッチ部材１４の前端部は、図１に示されるようにコイルバネ２３によりハウジング１３の前方開口部１３ａから最大に突出している。この状態から、閉扉時に、扉体１１ａの旋回により、ラッチ装置１０が固定枠１１ｂにおける板状片１１ｃの縁部に当接すると、第１スライダー１６がハウジング１３内に後退すると共に、第１当接部１８ｂと第２当接部２２ｂとの係合により第２スライダー１５も後退する。すなわち、ラッチ部材１４がコイルバネ２３の付勢力に抗して後退する。
【００２１】
第１スライダー１６の尖端部１７ｃが固定枠１１ｂの板状片１１ｃ端縁に摺接しながら通過すると、次いで固定枠１１ｂにおける板状片１１ｃの端縁が、第２スライダー１５先端部の突起部１５ａに係合して、その前端部２１を第１スライダー１６の上面１６ａから離隔する方向に撓ませながら押し上げる。板状片１１ｃの端縁は、第１スライダー１６と第２スライダー１５との間にできた隙間２６に入り、第１スライダー１６の第２傾斜面１７ｂ上に乗る。
【００２２】
板状片１１ｃの端縁が、第１スライダー１６の第２傾斜面１７ｂ上に乗ると、第１スライダー１６を後退させるための作用力が小さくなるため、ラッチ部材１４はコイルバネ２３により再び前進し、板状片１１ｃが第１スライダー１６の第２傾斜面１７ｂを滑りながら第２スライダー１５との間の隙間２６に進入する。
【００２３】
このようにしてラッチ部材１４の前端部が前進方向に最大に突出すると、図４に示されるように第２スライダー１５が脚部２２を支点として回動して、第２スライダー１５の全体が傾斜し、その前端部２１が板状片１１ｃを挟んで扉体１１ａの外面側に、また第１スライダー１６が扉体１１ａの内方側にそれぞれ位置し、ラッチ装置１０が固定枠１１ｂの板状片１１ｃに対して錠止する。第１スライダー１６には、第２スライダー１５を介してコイルバネ２３の強い付勢力が前進方向に作用していることから第１スライダー１６の後退は生じ難く、ラッチ装置１０は固定枠１１ｂの板状片１１ｃとの係止状態を維持する。
【００２４】
次に、開扉操作では、ラッチ装置１０の操作レバー２０を長孔１３ｃに沿って後退させる。第１スライダー１６は、第１当接部１８ｂ及び第２当接部２２ｂにより第２スライダー１５に係合しているため、第２スライダー１５と共にコイルバネ２３の付勢力に抗して後退する。その結果、固定枠１１ｂの板状片１１ｃが、第１スライダー１６と第２スライダー１５との各前端部１７、２１における隙間２６から抜け出る。その後、操作レバー２０の後退を解除すると、ラッチ部材１４はコイルバネ２３により再び前進するが、今度は、図３に示されるように第２スライダー１５の前端部２１の先端が、板状片１１ｃの端面に当接して、それ以上の前方への動きが阻止される。
【００２５】
このようにして、第２スライダー１５は、前端部２１の先端が板状片１１ｃの端面に当接して停止し、それより前進方向へ第１スライダー１６を押し出すことはない。この結果、第１スライダー１６は、固定枠１１の板状片１１ｃから外れ、この状態で扉体１１ａのノブ又はハンドルを持って手前に引けば、扉体１１ａを開けることができる。
【００２６】
このように、扉用のラッチ装置１０では、従来のラッチ装置のようにラッチボルトとストッパーとを軸支ピンなどにより枢着するという機械的な連結構造とせずに、双方を非連結状態にして各スライダーがそれぞれ前後方向への移動時に第１当接部及び第２当接部によって相互に離脱係合するようにしたものである。両スライダー１５、１６を機械的に連結しないようにした場合、図３に示される開扉操作時に、例えば操作レバー２０の誤操作で第１スライダー１６が前進方向へ移動して錠止状態となることが予想される。
【００２７】
そのため、本発明のラッチ装置では、第２スライダー１５の先端部に突起部１５ａを形成して、第１スライダー１６の前端部が、第２スライダー１５の先端部を通り越して板状片１１ｃの錠止側に入り込むことがないようにしている。つまり、第２スライダー１５の先端部に、第１スライダー１６の前進を阻止する突起部１５ａを形成するだけで、両スライダーを機械的に連結することなく構成することができる。その結果、部品点数を少なくでき、しかも簡素な構造となることからラッチ部材１４の加工作業や組み立て作業も容易となり、ラッチ装置を安価な製造コストで提供することができる。
【００２８】
図５は、本発明の第２実施形態に係る扉用のラッチ装置におけるラッチ部材１４０を示している。このラッチ部材１４０を示す図５において、第１実施形態におけるラッチ部材１４と同じ構成部分又は相当する部分には同一の参照符号を付けてその説明を省略する。この第２実施形態におけるラッチ部材１４０は、第１実施形態のラッチ装置１０と同様に第１スライダー１６０と第２スライダー１５０とから構成されている。このラッチ部材１４０において第１実施形態のラッチ部材１４と相違する部分は、以下のとおりである。
【００２９】
すなわち、筒状部１９における下壁１９ａの表面、即ち凹部１８の底面１８ａには、前後方向に延びる２条のガイド溝２７が離間並行して設けられている。また、筒状部１９の両側壁１９ｃ、１９ｄには、後端面から前方向に向かって凹所１８の奥壁１８ｂまで延びる切欠き溝２８が形成されている。更に、筒状部１９内に位置する第２スライダー１５０の後端部には二股状に分かれて２つの脚部２２ｃが設けられ、各脚部２２ｃの下部は底面１８ａの各ガイド溝２７に摺動可能に収まっている。更にまた、凹部１８内において筒状部１９の両側壁１９ｃ、１９ｄに対向している各脚部２２ｃ外側面には円柱状のピン２９が、外側に突出して設けられ、両側壁１９ｃ、１９ｄの各切欠き溝２８に摺動可能に入れられている。
【００３０】
第２スライダー１５０を第１スライダー１６０に組み付けるには、第１スライダー１６０の後端部側から、第２スライダー１５０の前端部２１を筒状部１９の凹部１８内に差し込んで開口部１８ｃに通し、第２スライダー１５０の各脚部２２ｃ外側面から突出しているピン２９を切欠き溝２８に入れて各脚部２２ｃの下部を底面１８ａの各ガイド溝２７内に置いた状態で第２スライダー１５０を押し込む。
【００３１】
このように、第２スライダー１５０を第１スライダー１６０の筒状部１９における凹部１８に押し込むとき、各脚部２２ｃの下部と外側面から突出しているピン２９とがそれぞれ底面１８ａのガイド溝２７と側壁１９ｃ、１９ｄの各切欠き溝２８とで押し込み方向にガイドされるため、第２スライダー１５０を第１スライダー１６０に組み付けるとき、第２スライダー１５０が押し込み方向に対して斜めになってスムーズに入り込まないような不具合を起こすことがなく、組み立て作業を迅速に行うことができる。
【００３２】
前述した実施形態に係る扉用のラッチ装置は、分電盤ボックスの扉体に取り付けて使用する場合についてのものであったが、本発明の扉用のラッチ装置はこのような使用例に限定されるものではなく、あらゆる扉体の開閉に用いることができる。
【００３３】
【発明の効果】
本発明によれば、バネ力により突出向きに付勢された第１スライダーを、開扉時に、固定枠の板状部から外した状態に保持しておくことができるラッチ装置を、少ない部品点数で構成することができると共に、構成を単純化することで組み立て作業の容易化を図ることができ、安価な製造コストでこの種のラッチ装置を提供することができる。
【図面の簡単な説明】
【図１】本発明の第１実施形態に係る扉用のラッチ装置を示す斜視図である。
【図２】図１のラッチ装置を構成するラッチ部材の斜視図である。
【図３】扉体に取り付けたラッチ装置を開扉操作状態で、図１の３−３線で切断して示す断面図である。
【図４】扉体に取り付けたラッチ装置の係止状態を示す図３と同様な断面図である。
【図５】本発明の第２実施形態に係る扉用のラッチ装置におけるラッチ部材を示す斜視図である。
【符号の説明】
１０  ラッチ装置
１１  分電盤ボックス
１１ａ  扉体
１１ｂ  固定枠
１１ｃ  板状片
１２  ハウジングの前方開口部
１３  ハウジング
１３ａ  ハウジングの前壁部
１３ｄ  ハウジングの後壁部
１４  ラッチ部材
１５  第２スライダー
１５ａ  突起部
１６  第１スライダー
１７  第１スライダーの前端部
１７ａ  第１傾斜面
１７ｂ  第２傾斜面
１８ｂ  凹部の奥壁（第１当接部）
２０  操作レバー
２１  第２スライダーの前端部
２２、２２ｃ  第２スライダーの脚部
２２ａ  脚部の後面
２２ｂ  脚部の前面（第２当接部）
２３  コイルバネ（バネ手段）
２４  取付け孔
【図１】
0003745307.tif 000002
【図２】
0003745307.tif 000003
【図３】
0003745307.tif 000004
【図４】
0003745307.tif 000005
【図５】
0003745307.tif 000006